(57)【要約】【課題】マスク本体部と着用者の顔との間に隙間が発生するのを防止することができるマスクを提供する。【解決手段】左側耳掛け部３０の上端側基部３１ａおよび下端側基部３１ｃは、それぞれ上端側接合部２３および下端側接合部２４によってマスク本体部２０に接合されている。また、右側耳掛け部４０の上端側基部４１ａおよび下端側基部４１ｃは、それぞれ上端側接合部２６および下端側接合部２７によってマスク本体部２０に接合されている。上端側接合部２３（２６）は、第２の方向８０に沿った下方端の下部接合部２３ｄ（２６ｄ）が、第２の方向８０に沿った上方端の上部接合部２３ｕ（２６ｕ）に対して、第１の方向７０に沿って縁部３５（４５）と反対側に偏移するように形成されている。【選択図】図１
2011167418.tif 000002
【特許請求の範囲】
【請求項１】
着用者の口を覆うマスク本体部と、着用者の耳に掛けられる第１の耳掛け部および第２の耳掛け部を備え、前記第１の耳掛け部および前記第２の耳掛け部は、それぞれ第１の方向に沿って離れて設けられている第１の接合部および第２の接合部によって前記マスク本体部に接合されているマスクであって、
前記マスク本体部は、前記第１の方向に沿って延びる複数の襞を有しており、
前記第１の耳掛け部は、前記第１の方向と交差する第２の方向に離れている第１の下端側基部および第１の上端側基部と、開口を形成する第１の縁部を有し、前記第１の下端側基部は、前記第１の上端側基部より前記第２の方向の一方方向側に配置され、前記第１の縁部は、前記第１の下端側基部および前記第１の上端側基部から延びており、
前記第２の耳掛け部は、前記第２の方向に沿って離れている第２の下端側基部および第２の上端側基部と、開口を形成する第２の縁部を有し、前記第２の下端側基部は、前記第２の上端側基部より前記第２の方向の一方方向側に配置され、前記第２の縁部は、前記第２の下端側基部および前記第２の上端側基部から延びており、
前記第１の接合部は、前記第１の上端側基部を前記マスク本体部に接合する第１の上端側接合部と、前記第１の下端側基部を前記マスク本体部に接合する第１の下端側接合部を有しており、
前記第２の接合部は、前記第２の上端側基部を前記マスク本体部に接合する第２の上端側接合部と、前記第２の下端側基部を前記マスク本体部に接合する第２の下端側接合部を有しており、
前記第１の上端側接合部は、前記第２の方向の前記一方方向端の第１の上端側接合部が、前記２の方向の前記他方方向端の第１の上端側接合部より、前記第１の方向の前記一方方向側に配置されるように設けられており、
前記第２の上端側接合部は、前記第２の方向の前記一方方向端の第２の上端側接合部が、前記２の方向の前記他方方向端の第２の上端側接合部より、前記第１の方向の前記他方方向側に配置されるように設けられていることを特徴とするマスク。
【請求項２】
請求項１に記載のマスクであって、
前記第１の下端側接合部は、前記第２の方向の前記他方方向端の第１の下端側接合部が、前記２の方向の前記一方方向端の第１の下端接合部より、前記第１の方向の前記一方方向側に配置されるように設けられており、
前記第２の下端側接合部は、前記第２の方向の前記他方方向端の第２の下端側接合部が、前記２の方向の前記一方方向端の第２の下端側接合部より、前記第１の方向の前記他方方向側に配置されるように設けられていることを特徴とするマスク。
【発明の詳細な説明】
【技術分野】
【０００１】
本発明は、着用者の口や鼻等を覆うマスクの構築技術に関する。
【背景技術】
【０００２】
従来、着用者の口や鼻を覆うマスクとして、例えば、特許文献１に記載されているマスクが知られている。このマスクは、口を覆うマスク本体部と、左側耳掛け部および右側耳掛け部を備えている。マスク本体部は、平行な複数の襞を有しており、マスク着用時に立体状となる。また、左側耳掛け部および右側耳掛け部として、幅の狭いゴム紐等が用いられている。
【先行技術文献】
【特許文献】
【０００３】
【特許文献１】実開昭５１−１５８９３号公報
【発明の概要】
【発明が解決しようとする課題】
【０００４】
従来のマスクは、左側耳掛け部および右側耳掛け部として、幅の狭いゴム紐等が用いられているため、マスク本体部と着用者の顔との間に隙間が発生し易い。ここで、隙間の発生を防止するために、例えば、図１５（ａ）に示されているように、帯状の左側耳掛け部３３０をマスク本体部３２０に接合することが考えられる。左側耳掛け部３３０は、左側耳掛け部３３０と右側耳掛け部（図子省略）が配置されている方向（左右方向）７０と交差する方向（上下方向）８０に離れている上端側基部３３１ａおよび下端側基部３３１ｃを有している。また、上端側基部３３１ａおよび下端側基部３３１ｃから延びており、開口３３０ａを形成する帯状の縁部（耳掛け部）３３５を有している。上端側基部３３１ａおよび下端側基部３３１ｃは、それぞれ上下方向８０に平行な直線に沿った上端側接合部３２３および下端側接合部３２４によってマスク本体部３２０に接合されている。このようなマスク３１０を着用すると、マスク本体部３２０および左側耳掛け部３３０は、図１５（ｂ）に示されているように変形する。例えば、上端側基部３３１ａに連結されている部分が伸長する。この時、上端側接合部３２３がマスク本体部３２０に対し湾曲するため、伸長率に差が生じる。例えば、上端側基部３３１ａに連結されている部分では、下部３３６ｄに対応する部分の長さが６０ｍｍから１００ｍｍに伸長する（伸長率＝１７０％）のに対し、上部３３６ｕに対応する部分の長さは６０ｍｍから９０ｍｍしか伸長しない（伸長率＝１５０％）。したがって、マスク着用時に、伸長率が低い部分（図１５（ｂ）の破線の部分）が浮き、マスク本体部３２０と着用者の顔の間に隙間が発生する。特に、上端側基部３３１ａに連結されている部分において、伸長率の差が生じやすい。
本発明は、このような点に鑑みて創案されたものであり、マスク着用時にマスク本体部と着用者の顔の間に隙間が発生するのを防止するために有効な技術を提供することを目的とする。
【課題を解決するための手段】
【０００５】
本発明のマスクは、一回使用ないし数回使用を目的とした使い捨てタイプのマスクであってもよいし、洗濯等を行うことによって繰り返し使用可能なタイプのマスクであってもよい。
本発明は、少なくとも、マスク本体部と、第１および第２の耳掛け部を備えている。マスク本体部は、着用者の口や鼻を覆う部材であり、第１および第２の耳掛け部は、着用者の左耳および右耳に掛けられる部材である。第１及び第２の耳掛け部は、それぞれ第１の方向に沿って離れている第１の接合部および第２の接合部によってマスク本体部に接合されている。
なお、第１の耳掛け部は、着用者の左耳に掛けられ、第２の耳掛け部は、着用者の右耳に掛けられる。「第１の方向」は、マスク本体部の長手方向（幅方向）を表し、マスク着用状態において、着用者の左右方向に対応する。「第１の方向の一方方向」は、第１の耳掛け部から第２の耳掛け部の方向を表し、マスク着用状態において、着用者から見て左から右の方向に対応する。「第１の方向の他方方向」は、第２の耳掛け部から第１の耳掛け部の方向を表し、マスク着用状態において、着用者から見て右から左の方向に対応する。
マスク本体部は、第１の方向に平行に伸びる複数の襞を有している。典型的には、マスク着用時に立体状となるプリーツタイプに形成される。
マスク本体部、第１および第２の耳掛け部は、典型的には、１つのシート片または複数のシート片を接合することによって形成される。シート片としては、例えば、機械的、化学的、熱的処理によって繊維を固着しあるいは絡み合わせて作られるシート片が用いられる。典型的には、熱融着性合成繊維（熱可塑性合成繊維）を一部に含み、熱融着（熱溶着）が可能な不織布シートが用いられる。好適には、第１および第２の耳掛け部は、伸縮性を有する不織布シート片により形成される。
第１および第２の耳掛け部をマスク本体部に接合する方法としては、種々の接合方法を用いることができる。例えば、熱融着によって接合する方法、接着剤を用いて接合する方法等を用いることができる。第１および第２の接合部は、線状（直線。曲線）や点状等種々の形状の接合部を、線（直線、曲線）に沿ってあるいは不連続に設けることによって構成される。
第１の耳掛け部は、第１の方向と交差する第２の方向に離れて配置されている第１の下端側基部および第１の上端側基部を有している。第１の下端側基部は、第１の上端側基部より、第２の方向の一方方向側に配置されている。また、第１の耳掛け部は、第１の下端側基部および第１の上端側基部から延びており、開口を形成する第１の縁部を有している。そして、第１の下端側基部および第１の上端側基部は、それぞれ第１の接合部の第１の下端側接合部および第２の上端側接合部によって、マスク本体部に接合されている。第２の耳掛け部は、第２の方向に離れて配置されている第２の下端側基部および第２の上端側基部を有している。第２の下端側基部は、第２の上端側基部より、第２の方向の一方方向側に配置されている。また、第２の耳掛け部は、第２の下端側基部および第２の上端側基部から延びており、開口を形成する第２の縁部を有している。そして、第２の下端側基部および第２の上端側基部は、それぞれ第２の接合部の第２の下端側接合部および第２の上端側接合部によって、マスク本体部に接合されている。
第１の縁部は、着用者の左耳に掛けられる部分であり、第２の縁部は、着用者の右耳に掛けられる部分である。第１の耳掛け部および第２の耳掛け部は、マスク本体部の着用面（着用者側の面）または非着用面に配置される。第１の下端側基部、第１の上端側基部、第２の下端側基部、第２の上端側基部は、少なくとも一部がマスク本体部に接合される。「第１の方向と交差する第２の方向」は、マスク本体部の長手方向に交差する方向（高さ方向）を表し、マスク着用状態において、着用者の上下方向に対応する。「第２の方向の一方方向」は、マスク本体部の上片から下片の方向を表し、マスク着用状態において、着用者の上から下の方向に対応する。「第２の方向の他方方向」は、マスク本体部の下片から上片の方向を表し、マスク着用状態において、着用者の下から上の方向に対応する。
そして、第１の上端側接合部は、第２の方向の一方方向端の第１の上端側接合部が、第２の方向の他方方向端の第１の上端接合部より、第１の方向の一方方向側に配置されるように設けられている。また、第２の上端側接合部は、第２の方向の一方方向端の第２の上端側接合部が、第２の方向の他方方向端の第２の上端側接合部より、第１の方向の他方方向側に配置されるように設けられている。すなわち、第１の上端側接合部（第２の上端側接合部）は、第２の方向の一方方向端の接合部が、第２の方向の他方方向端の接合部に対して、第１の方向に沿って第１の縁部（第２の縁部）と反対側に配置されるように形成されている。
本発明では、マスク着用時に、第１の耳掛け部の第１の上端側基部に連結されている部分および第２の耳掛け部の第２の上端側基部に連結されている部分において、第２の方向の他方方向端側の伸張率と第２の方向の一方方向端側の伸張率の差を低減することができる。これにより、マスク着用時における伸張率の差を合わせることができ、第１および第２の上端側接合部の箇所に隙間が形成されるのを防止することができる。
【０００６】
本発明の異なる形態では、さらに、第１の下端側接合部は、第２の方向の他方方向端の第１の下端側接合部が、第２の方向の一方方向端の第１の下端接合部より、第１の方向の一方方向側に配置されるように設けられている。また、第２の下端側接合部は、第２の方向の他方方向端の第２の下端側接合部が、第２の方向の一方方向端の第２の下端接合部より、第１の方向の他方方向側に配置されるように設けられている。すなわち、第１の下端側接合部（第２の下端側接合部）は、第２の方向の他方方向端の接合部が、第２の方向の一方方向端の接合部に対して、第１の方向に沿って第１の縁部（第２の縁部）と反対側に配置されるように形成されている。
本形態では、マスク着用時に、第１の耳掛け部の第１の下端側基部に連結されている部分および第２の耳掛け部の第２の下端側基部に連結されている部分において、第２の方向の一方方向端側の伸張率と第２の方向の他方方向端側の伸張率の差を低減することができる。これにより、マスク着用時における伸張率の差を合わせることができ、第１および第２の下端側接合部の箇所に隙間が形成されるのを防止することができる。
【発明の効果】
【０００７】
本発明のマスクでは、マスク着用時に、マスク本体部と着用者の顔の間に隙間が形成されるのを防止することができる。
【図面の簡単な説明】
【０００８】
【図１】一実施の形態のマスクの非着用状態を非着用面側から見た図である。
【図２】一実施の形態のマスクの非着用状態を着用面側から見た図である。
【図３】非着用時におけるマスク本体部の状態を示す図である。
【図４】着用時におけるマスク本体部の状態を示す図である。
【図５】一実施の形態のマスクの着用時における伸長状態を示す図である。
【図６】接合部の他の例を示す図である。
【図７】接合部の他の例を示す図である。
【図８】接合部の他の例を示す図である。
【図９】接合部の他の例を示す図である。
【図１０】接合部の他の例を示す図である。
【図１１】接合部の他の例を示す図である。
【図１２】接合部の他の例を示す図である。
【図１３】他の実施の形態のマスクの非着用状態を、着用面側から見た図である。
【図１４】他の実施の形態のマスクの着用状態を、着用面側から見た図である。
【図１５】従来のマスクの着用時における伸長状態を示す図である。
【発明を実施するための形態】
【０００９】
以下に、本発明の実施の形態を、図面を参照して説明する。
本明細書で用いられている「方向」は、以下のように定められている。
「第１の方向７０」は、マスク本体部２０の長手方向（幅方向）（図１の左右方向）を表し、マスク着用状態において、着用者の左右方向に対応する（「左右方向」という）。「第１の方向７０の一方方向」は、左側耳掛け部（第１の耳掛け部）３０から右側耳掛け部（第２の耳掛け部）４０の方向を表し、マスク着用状態において、着用者の左から右の方向に対応する（「右方向」という）。「第１の方向７０の他方方向」は、右側耳掛け部（第２の耳掛け部）４０から左側耳掛け部（第１の耳掛け部）３０の方向を表し、マスク着用状態において、着用者の右から左の方向に対応する（「左方向」という）。なお、「右方向」および「左方向」という記載は、着用状態において、着用者側から見た方向を表している。したがって、非着用面側から見た場合に用いられる「右方向」および「左方向」という記載は、非着用面側から見た実際の「右方向」および「左方向」と反対方向を示している。
また、「第２の方向８０」は、マスク本体部２０の長手方向に交差する方向（高さ方向）（図１の上下方向）を表し、マスク着用状態において、着用者の上下方向に対応する（「上下方向」という）。「第２の方向８０の一方方向」は、マスク本体部２０の上片から下片の方向を表し、マスク着用状態において、着用者の上から下の方向に対応する（「下方向」という）。「第２の方向８０の他方方向」は、マスク本体部２０の下片から上片の方向を表し、マスク着用状態において、着用者の下から上の方向に対応する（「上方向」という）。
また、「第３の方向９０」は、マスク本体部２０の前後方向（図１の前後方向）を表し、マスク着用状態において、着用者の前後方向に対応する（「前後方向」という）。「第３の方向９０の一方方向」は、マスク本体部２０の非着用面２０Ｙから着用面２０Ｘの方向を表し、マスク着用状態において、着用者の前から後の方向に対応する（「後方向」という）。「第３の方向９０の他方方向」は、マスク本体部２０の着用面２０Ｘから非着用面２０Ｙの方向を表し、マスク着用状態において、着用者の後から前の方向に対応する（「前方向」という）。
【００１０】
本発明のマスクの一実施の形態１０を、図１および図２を参照して説明する。本実施の形態のマスク１０は、１回〜数回の使用を想定した使い捨てマスクとして構成されている。また、本実施の形態のマスク１０は、花粉対策、風等のウィルス対策、口元や鼻腔内の保湿等の環境改善等の種々の用途に使用可能である。
図１は、一実施の形態のマスク１０の非着用状態を非着用面２０Ｙ側（着用面２０Ｘと反対側の面側）から見た図であり、図２は、一実施の形態のマスク１０の非着用状態を着用面２０Ｘ側から見た図である。
【００１１】
図１、図２に示されているように、本実施の形態のマスク１０は、マスク本体部２０、左側耳掛け部３０、右側耳掛け部４０により構成されている。マスク本体部２０は、着用者の口や鼻を覆う部材である。左側耳掛け部３０および右側耳掛け部４０は、着用者の左耳および右耳に掛けられる部材である。マスク本体部２０が、本発明の「マスク本体部」に対応し、左側耳掛け部３０が、本発明の「第１の耳掛け部」に対応し、右側耳掛け部４０が、本発明の「第２の耳掛け部」に対応する。
【００１２】
マスク本体部２０は、第１の方向７０（左右方向）に沿って延びている複数の襞（プリーツ）を有し、プリーツタイプのマスク本体部として形成されている。本実施の形態では、図３に示されているように、上辺２０ａ、下辺２０ｂ、左辺２０ｃ、右辺２０ｄにより方形に形成されているシート片が、上辺２０ａおよび下辺２０ｂに平行な（第１の方向７０に平行な）複数の折り返し線２１ａ〜２１ｊに沿って順次折り返されている。これにより、第１の方向７０に沿って延びる複数の襞２０Ｂ〜２０Ｊが、第１の方向７０と交差する第２の方向８０（上下方向）に沿って配置されている。マスク本体部２０は、非着用状態では、第１の方向７０に沿った長さ（幅）がＷ、第２の方向８０に沿った長さ（高さ）がＨである方形（上辺２８ａ、下辺２８ｂ、左辺２８ｃ、右辺２８ｄ）を有している。勿論、マスク本体部２０の形状は、方形に限定されない。
なお、折り返し線２１ａに沿って折り返された折り返し片２０Ａと襞２０Ｂによって、保形部５０が保持される。保形部５０は、マスク着用時に、マスク本体部２０の上端部を着用者の顔の凹凸形状に対応させることによって、マスク本体部２０と着用者の顔との間の隙間を減少させるものである。保形部５０は、折り曲げが容易であり、また、折り曲げた形状を維持する剛性を有するのが好ましい。保形部５０としては、例えば、合成樹脂あるいは金属等によって形成された薄板が用いられる。保形部５０は、種々の方法でマスク本体部２０に保持される。
襞２０Ｂ〜２０Ｊは、第１の方向７０に沿った両端部において、適宜の方法で接合される。
【００１３】
マスク本体部２０は、好適には、熱可塑性繊維からなる不織布シートが、反着用者側に配置される外側層、フィルター層（中間層）、着用者側に配置される内側層の３層に積層された積層シートにより形成される。不織布シートとしては、例えば、ポリエチレン、ポリプロピレン、ポリエチレンテレフタレート等を用いて、エアスルー法、スパンボンド法、サーマルボンド法、スパンレース法、ポイントボンド法、メルトブロー法、ステッチボンド法、ケミカルボンド法、ニードルパンチ法等により製造され、目付が１０〜１５０ｇ／ｍ２のものが用いられる。外側層および内側層を形成する不織布シートとしては、通気性と肌触りがよいものが、また、フィルター層を形成する不織布シートとしては、通気性と遮断性（捕集性）がよいものを用いるのが好ましい。
【００１４】
本実施の形態では、左側耳掛け部３０および右側耳掛け部４０は、マスク本体部２０の非着用面２０Ｙ上に配置された状態で、マスク本体部２０に接合されている。
本実施の形態では、マスク本体部２０と左側耳掛け部３０および左側耳掛け部４０は、別体に形成されている。なお、マスク本体部２０と左側耳掛け部３０および右側耳掛け部４０を一体に形成することもできる。例えば、１つのシート片を折り返すことによって、シート本体部２０に左側耳掛け部３０および右側耳掛け部４０が重ねられたマスク本体部を形成する。
左側耳掛け部３０および右側耳掛け部４０は、シート片により形成される。左側耳掛け部３０および右側耳掛け部４０を形成するシート片としては、マスク本体部２０と同様に、熱可塑性合成繊維からなる不織布シートを用いることができるが、伸縮性が高い不織布シートを用いるのが好ましい。例えば、目付が３０〜１２０ｇ／ｍ２の、伸縮ＳＢ不織布シート（スパンボンド不織布シート）、伸縮ＳＭＳ不織布シート（スパンボンドとメルトブロー複合不織布シート）、（伸縮ＳＢ−フィルム−ＳＢ）不織布シート、伸縮性スパンレース不織布シート、伸縮ＨＭＡ不織布シート等が用いられる。
【００１５】
左側耳掛け部３０は、基部と、基部から延び、開口３０ａを形成する縁部（耳掛け部）３５を有している。基部は、第２の方向８０に沿って離れて配置されている上端側基部３１ａおよび下端側基部３１ｃを有している。下端側基部３１ｃは、上端側基部３１ａより、第２の方向８０に沿って下方側に配置されている。縁部３５は、上端側基部３１ａと下端側基部３１ｃから延びている。縁部３５は、開口３０ａに挿入された着用者の左耳に掛けられる部材である。上端側基部３１ａが、本発明の「第１の上端側基部」に対応し、下端側基部３１ｃが、本発明の「第１の下端側基部」に対応し、縁部３５が、本発明の「第１の縁部」に対応する。
左側耳掛け部３０は、マスク本体部２０の非着用面２０Ｙ上に、第１の方向７０に沿った他方方向（左側）に配置されている。また、左側耳掛け部３０は、縁部３５が、上端側基部３１ａおよび下端側基部３１ｃより、第１の方向７０に沿った他方方向側（左側）に配置されるように非着用面２０Ｙ上に配置されている。
【００１６】
そして、左側耳掛け部３０の上端側基部３１ａおよび下端側基部３１ｃが、それぞれ上端側接合部２３および下端側接合部２４によってマスク本体部２０に接合されている。上端側接合部２３および下端側接合部２４は、線状または点状等の種々の形状の接合部によって構成される。上端側接合部２３が、本発明の「第１の上端側接合部」に対応し、下端側接合部２４が、本発明の「第１の下端側接合部」に対応する。
上端側接合部２３は、第２の方向８０の下方端の接合部（下部接合部２３ｄ）と、第２の方向の上方端の接合部（上部接合部２３ｕ）と、下部接合部２３ｄと上部接合部２３ｕの間に形成されている接合部を有している。ここで、下部接合部２３ｄは、上部接合部２３ｕより、第１の方向７０の一方方向側（右側）に形成されている。本実施の形態では、下部接合部２３ｄと上部接合部２３ｕを結ぶ線に沿って形成された接合部を有している。すなわち、下部接合部２３ｄが、上部接合部２３ｕに対して縁部３５と反対側に配置されている。
下端側接合部２４は、第２の方向８０の上方端の接合部（上部接合部２４ｕ）と、第２の方向の下方端の接合部（下部接合部２４ｄ）と、上部接合部２４ｕと下部接合部２４ｄの間に形成されている接合部を有している。ここで、上部接合部２４ｕは、下部接合部２４ｄより、第１の方向７０の他方方向側（左側）に形成されている。本実施の形態では、下部接合部２４ｄと上部接合部２４ｕを結ぶ線に沿って上端側接合部が設けられている。すなわち、上部接合部２４ｕが、下部接合部２４ｄに対して縁部３５と反対側に配置されている。
【００１７】
右側耳掛け部４０は、基部と、基部から延び、開口４０ａを形成する縁部（耳掛け部）４５を有している。基部は、第２の方向８０に沿って離れて配置されている上端側基部４１ａおよび下端側基部４１ｃを有している。下端側基部４１ｃは、上端側基部４１ａより、第２の方向８０に沿って下方側に配置されている。縁部（耳掛け部）４５は、上端側基部４１ａと下端側基部４１ｃから延びている。縁部（耳掛け部）４５は、開口４０ａに挿入された着用者の左耳に掛けられる部材である。上端側基部４１ａが、本発明の「第２の上端側基部」に対応し、下端側基部４１ｃが、本発明の「第２の下端側基部」に対応し、縁部４５が、本発明の「第２の縁部」に対応する。
右側耳掛け部４０は、マスク本体部２０の非着用面２０Ｙ上に、第１の方向７０に沿った一方方向側（右側）に配置されている。また、右側耳掛け部４０は、縁部４５が、上端側基部４１ａおよび下端側基部４１ｃより、第１の方向７０に沿った一方方向側（右側）に配置されるように非着用面２０Ｙ上に配置されている。
【００１８】
そして、右側耳掛け部４０の上端側基部４１ａおよび下端側基部４１ｃが、それぞれ上端側接合部２６および下端側接合部２７によってマスク本体部２０に接合されている。上端側接合部２６および下端側接合部２７は、線状または点状等の種々の形状の接合部によって構成される。上端側接合部２６が、本発明の「第２の上端側接合部」に対応し、下端側接合部２７が、本発明の「第２の下端側接合部」に対応する。
上端側接合部２６は、第２の方向８０の下方端の接合部（下部接合部２６ｄ）と、第２の方向の上方端の接合部（上部接合部２６ｕ）と、下部接合部２６ｄと上部接合部２６ｕの間に形成されている接合部を有している。ここで、下部接合部２６ｄは、上部接合部２６ｕより、第１の方向７０の右側に形成されている。本実施の形態では、下部接合部２６ｄと上部接合部２６ｕを結ぶ線に沿って形成された接合部を有している。すなわち、下部接合部２６ｄが、上部接合部２６ｕに対して縁部４５と反対側に配置されている。
下端側接合部２７は、第２の方向８０の上方端の接合部（上部接合部２７ｕ）と、第２の方向の下方端の接合部（下部接合部２７ｄ）と、上部接合部２７ｕと下部接合部２７ｄの間に形成されている接合部を有している。ここで、上部接合部２７ｕは、下部接合部２７ｄより、第１の方向７０の左側に配置されている。本実施の形態では、下部接合部２７ｄと上部接合部２７ｕを結ぶ線に沿って上端側接合部が設けられている。すなわち、上部接合部２７ｕが、下部接合部２７ｄに対して縁部４５と反対側に配置されている。
【００１９】
なお、左側耳掛け部３０（右側耳掛け部４０）の上端側基部３１ａ（４１ａ）および下端側基部３１ｃ（４１ｃ）の幅、言い換えれば、上端側基部３１ａ（４１ａ）および下端側基部３１ｃ（４１ｃ）と縁部３５（４５）との連結部の幅は、Ｌに設定されている。例えば、マスク本体部２０の高さＨが７０ｍｍ〜１１０ｍｍ、上端側基部３１ａ（４１ａ）および下端側基部３１ｃ（４１ｃ）の幅Ｌが１０ｍｍ〜３０ｍｍに設定される。すなわち、本実施の形態では、左側耳掛け部３０（右側耳掛け部４０）の縁部３２（４２）は、幅を有する帯状の部材として形成されている。また、上端側接合部２３（２６）および下端側接合部２４（２７）の長さＭは、２〜２０ｍｍに設定されている。
【００２０】
マスク本体部２０（襞２０Ｂ〜２０Ｊ）は、第１の方向７０に沿った左側端部において、上端側接合部２３および下端側接合部２４によって接合されているとともに、中央接合部２２によって接合されている。本実施の形態では、中央接合部２２は、上端側基部３１ａと下端側基部３１ｃの間に形成されている。中央接合部２２が、本発明の「第１の中央接合部」に対応する。また、上端側接合部２３、下端側接合部２４および中央接合部によって、「左側接合部」が構成されている。そして、左側接合部が、本発明の「第１の耳掛け部をマスク本体部に接合する第１の接合部」に対応する。左側接合部は、上端側接合部２３と下端側接合部２４によって構成することもできる。
また、マスク本体部２０（襞２０Ｂ〜２０Ｊ）は、第１の方向７０に沿った右側端部において、上端側接合部２６および下端側接合部２７によって接合されているとともに、中央接合部２５によって接合されている。本実施の形態では、中央接合部２５は、上端側基部４１ａと下端側基部４１ｃの間に形成されている。中央接合部２５が、本発明の「第２の中央接合部」に対応する。また、上端側接合部２６、下端側接合部２７および中央接合部２５によって、「右側接合部」が構成されている。そして、右側接合部が、本発明の「第２の耳掛け部をマスク本体部に接合する第２の接合部」に対応する。右側接合部は、上端側接合部２６と下端側接合部２７によって構成することもできる。
なお、中央接合部２２の配設位置は、上端側接合部２３の上部接合部２３ｕおよび下端側接合部２４の下部接合部２４ｄに対して、第１の方向７０に沿って縁部３５と反対側に設定される。また、中央接合部２５の配設位置は、上端側接合部２６の上部接合部２６ｕおよび下端側接合部２７の下部接合部２７ｄに対して、第１の方向７０に沿って縁部４５と反対側に設定される。
【００２１】
以上のように、本実施の形態では、上端側基部３１ａ（４１ａ）をマスク本体部２０に接合する上端側接合部２３（２６）は、第２の方向８０に沿った下方端の下部接合部２３ｄ（２６ｄ）が、第２の方向８０に沿った上方端の上部接合部２３ｕ（２６ｕ）に対して、第１の方向に沿って縁部３５と反対側（右側）に配置されるように形成されている。また、下端側基部３１ｃ（部３１ｃ）をマスク本体部２０に接合する下端側接合部２４（２７）は、第２の方向８０に沿った上方端の上部接合部２４ｕ（２７ｕ）が、第２の方向８０に沿った下方端の下部接合部２４ｄ（２７ｄ）に対して、第１の方向に沿って縁部４５と反対側（左側）に配置されるように形成されている。これにより、図５（ａ）に示されているように、上端側基部３１ａに連結されている部分では、上部接合部２３ｕと開口３０ａの右方端の間の間隔が、下部接合部２３ｄと開口３０ａの右方端の間の間隔より短くなる。図５（ａ）では、上部３６ｕ側の間隔が６０ｍｍ、下部３６ｄ側の間隔が７０ｍｍに設定されている。
【００２２】
次に、本実施の形態のマスク１０を着用する動作を説明する。
図１、図２に示されている状態で、第２の方向８０に沿った両端の襞２０Ｂ、２０Ｊの中央部を第２の方向８０に沿って引っ張る。これにより、マスク本体部２０は、図４に示されているように、襞２０Ｂ〜２０Ｊの第１の方向７０に沿った中央部が、第２の方向８０に沿って拡開する。同時に、中央の襞２０Ｆと両端の襞２０Ａおよび２０Ｂとの間の第３の方向９０（前後方向）に沿った間隔が大きくなる。すなわち、マスク本体部２０は、立体状となる。
また、左側耳掛け部３０の縁部３５および右側耳掛け部４０の縁部４５を第１の方向に沿って引っ張り、左側耳掛け部３０の開口３０ａを着用者の左耳に掛け、右側耳掛け部４０の開口４０ａを着用者の右耳に掛ける。
この時、前述したように、上端側接合部２３、２６および下端側接合部２４、２７がマスク本体部２０に対し湾曲するため、伸長率に差が生じる。
本実施の形態では、図５（ａ）に示されているように、上端側基部３１ａ、４１ａが連結されている部分では、上部側の間隔が下部側の間隔より短く設定されている。また、下端側基部２１ｃ、４１ｃが連結されている部分では、下部側の間隔が上部側の間隔より短く設定されている。このため、マスク着用時には、図５（ｂ）に示されているように、伸長率の差が低減される。例えば、上端側基部３１ａに連結されている部分では、上部３６ｕ側の間隔が６０ｍｍから９０ｍｍに伸長し（伸長率＝１５０％）、下部３６ｄ側の間隔が７０ｍｍから１０５ｍｍに伸長している（伸長率＝１５０％）。
このように、マスク着用時における伸長率の差が低減されることにより、マスク着用時に、マスク本体部２０と着用者の顔の間に隙間が形成されるのを防止することができる。
【００２３】
マスク本体部２０を構成する襞を接合する中央接合部２２の配置位置は、上端側接合部２３および下端側接合部２４より縁部３５側（第１の方向７０に沿った左側）に存在しない位置であればよい。例えば、図６に示されているように、上端側接合部２３の下部接合部２３ｄと下端側接合部２４の上部接合部２４ｕを結ぶ線に沿って形成した中央接合部２２によってマスク本体部２０を接合してもよい。また、図８に示されているように、上端側接合部２３の上部接合部２３ｕと下端側接合部２４の下部接合部２４ｄを結ぶ線に沿って形成した中央接合部２２によってマスク本体部２０を接合してもよい。また、図７に示されているように、上端側接合部２３の下部接合部２３ｄと下端側接合部２４の上部接合部２４ｕを結ぶ線に沿って形成した中央接合部２２によって、マスク本体部２０を接合するとともに、上端側接合部３１ａおよび下端側接合部３１ｃをマスク本体部２０に接合してもよい。
【００２４】
上端接合部（２３、２６）および下端側接合部（２４、２７）は、適宜の形状に形成することができるが、第２の方向８０に沿った端部側が、縁部３５（４５）の引っ張り方向に対して直角（略直角を含む）に形成されているのが好ましい。例えば、上端側接合部２３（２６）は、第２の方向８０の上方端の上部接合部２３ｕ（２６ｕ）側の箇所において、第２の方向８０に平行（略平行を含む）に形成される。また、下端側接合部２４（２７）は、第２の方向８０の下方端の下部接合部２４ｄ（２７ｄ）側の箇所において、第２の方向８０に平行（略平行を含む）に形成される。
例えば、図９に示されている上端側接合部２３は、上部接合部２３ｕ側の箇所（波線の箇所）に、第２の方向８０に平行（略平行を含む）に形成されている接合部２３ａと、曲線に沿って形成されている接合部２３ｂを有している。
また、図１０に示されている上端側接合部２３は、上部接合部２３ｕ側の箇所に（波線の箇所）に、第２の方向８０に平行（略平行を含む）に形成されている接合部２３ａと、階段状の直線に沿って形成されている接合部２３ｂおよび２３ｃを有している。
また、図１１に示されている上端側接合部２３は、上部接合部２３ｕ側の箇所に（波線の箇所）に、第２の方向８０に平行（略平行を含む）に形成されている接合部２３ａと、第２の方向８０に平行（略平行を含む）に形成されている接合部２３ｂを有している（接合部２３ａと２３ｂは不連続）。
このように、上端側接合部（２３、２６）および下端側接合部（２４、２７）の、第２の方向８０に沿った端部側を、縁部３５（４５）の引っ張り方向（第１の方向７０）に対して直角に形成することにより、引っ張り方向（第１の方向７０）への引っ張り応力に対する強度が増大する。
【００２５】
本発明の第２の実施の形態のマスク１１０を図１２に示す。
本実施の形態のマスク１１０の左側耳掛け部１３０は、基部１３１を有している。基部１３１は、第２の方向８０に沿って下方側に順に配置されている上端側基部１３１ａ、中央基部１３１ｂおよび下端側基部１３１ｃを有している。開口１３０ａを形成する縁部１３５は、上端側基部１３１ａおよび下端側基部１３１ｃから延びている。また、上端側基部１３１ａには、第２の方向８０に沿った上方側に傾斜部１２３が形成され、下端側基部１３１ｃには、第２の方向８０に沿った下方側に傾斜部１２４が形成されている。そして、左側耳掛け部１３０は、基部１３１の縁に沿って形成されている左側接合部（中央接合部１２２、上端側接合部１２３、下端側接合部１２４）によってマスク本体部１２０に接合されている。上端側接合部１２３は、傾斜部１３２の下端部１３２ｄに対応する下部接合部が、傾斜部１３２の上端部１３２ｕに対応する上部接合部に対して、第１の方向７０に沿って縁部１３５と反対側に配置されるように形成されている。また、下端側接合部１２４は、傾斜部１３３の上端部１３３ｕに対応する上部接合部が、傾斜部１３３の下端部１３３ｄに対応する下部接合部に対して、第１の方向７０に沿って縁部１３５と反対側に配置されるように形成されている。
同様に、右側耳掛け部１４０は、上端側基部１４１ａ、中央基部１４１ｂおよび下端側基部１４１ｃを含む基部１４１と、上端側基部１４１ａおよび下端側基部１４１ｃから延びている縁部１４５を有している。上端側基部１４１ａには、第２の方向８０の上方側に傾斜部１２６が形成され、下端側基部１４１ｃには、第２の方向８０の下方側に傾斜部１２７が形成されている。そして、右側耳掛け部１４０は、基部１４１の縁に沿って形成されている右側接合部（中央接合部１２５、上端側接合部１２６、下端側接合部１２７）によってマスク本体部１２０に接合されている。
なお、傾斜部１３２、１３３、１４２、１４３の第２の方向８０に沿った長さＮは、上端側基部１３１ａおよび１４１ａ、下端側基部１３１ｃおよび１４１ｃの厚さＬの３０％以上に設定するのが好ましい。これにより、マスク着用時における伸長率の差を効果的に低減することができる。また、傾斜部１３２、１３３、１４２、１４３の形状は、直線状に限定されず、種々の形状に形成することができる。
【００２６】
以上の実施の形態では、上端側接合部（２３、２６、１２３、１２６）および下端側接合部（２４、２７、１２４、１２７）を、上部接合部の位置と下部接合部の位置が第１の方向に沿って偏移するように形成した。通常、マスク着用時における伸長率の差は、上方（鼻が当接する側）の方が下方（口が当接する側）より大きい。したがって、上端側接合部（２３、２６、１２３、１２６）のみを、上部接合部の位置と下部接合部が第１の方向に沿って偏移するように形成してもよい。
【００２７】
マスク着用時に、マスク本体部と着用者の顔の間に隙間が発生するのを防止する方法としては、他の方法を用いることもできる。本発明の第３の実施の形態のマスク２１０が、図１３、図１４に示されている。図１３は、本実施の形態のマスク２１０の非着用状態を、マスク着用面２２０Ｘ側から見た図である。また、図１４は、本実施の形態のマスク２１０の着用状態を、マスク着用面２２０Ｘ側から見た図である。なお、図１３、図１４では、右側が、本発明の「第１の方向の一方方向側」に対応し、左側が、本発明の「第１の方向に他方方向側」に対応する。
本実施の形態のマスク２１０は、マスク本体部２２０、左側耳掛け部２３０、右側耳掛け部２４０により構成されている。マスク本体部２２０としては、前述したマスク本体部２０と同様の構成のマスク本体部が用いられている。また、マスク本体部２２０、左側耳掛け部２３０、右側耳掛け部２４０は、前述したマスク本体部２０、左側耳掛け部３０、右側耳掛け部４０と同様のシート片を用いて形成される。
【００２８】
左側耳掛け部２３０は、基部２３１と、基部２３１から延び、開口２３０ａを形成する縁部（耳掛け部）２３５を有している。基部２３１は、第２の方向８０の下方側に順に配置されている上端側基部２３１ａ、中央基部２３１ｂ、下端側基部２３１ｃを有している。縁部（耳掛け部）２３５は、上端側基部２３１ａと下端側基部２３１ｃから延びている。基部２３１が、本発明の「第１の基部」に対応し、縁部２３５が、本発明の「第１の縁部」に対応する。また、上端側基部２３１ａが、本発明の「第１の上端側基部」に対応し、中央基部２３１ｂが、本発明の「第１の中央基部」に対応し、下端側基部２３１ｃが、本発明の「第１の下端側基部」に対応する。
左側耳掛け部２３０は、マスク本体部２２０の着用面２２０Ｘ上に、第１の方向７０に沿った他方方向側（左側）に配置されている。また、左側耳掛け部３０は、縁部２３５が、基部２３１より、第１の方向７０に沿った一方方向側（右側）に配置されるように着用面２０Ｘ上に配置されている。
そして、左側耳掛け部２３０の基部２３１の一部が、左側接合部によってマスク本体部２２０に接合されている。本実施の形態では、基部２３１の一部が、上端側基部２３１ａ、中央基部２３１ｂおよび下端側基部２３１ｃにおいて、左側接合部によってマスク本体部２２０に接合されている。すなわち、左側接合部は、上端側基部２３１ａをマスク本体部２０に接合する上端側接合部２２３、中央基部２３１ｂをマスク本体部２０に接合する中央接合部２２２、下端側基部２３１ｃをマスク本体部２０に接合する下端側接合部２２４を有している。左側接合部は、左側接合部よりより縁部２３５側の部分が、左側接合部の箇所で第１の方向７０に沿って折り返すことができるように形成される。左側接合部が、本発明の「第１の接合部」に対応し、上端側接合部２２３が、「第１の上端側接合部」に対応し、中央接合部２２２が、本発明の「第１の中央接合部」に対応し、下端側接合部２２４が、本発明の「第１の下端側接合部」に対応する。
【００２９】
右側耳掛け部２４０は、左側耳掛け部２３０と同様に、基部２４１と、基部２４１から延び、開口２４０ａを形成する縁部（耳掛け部）２４５を有している。基部２４１は、第２の方向８０の下方側に沿って順に配置されている上端側基部２４１ａ、中央基部２４１ｂ、下端側基部２４１ｃを有している。縁部（耳掛け部）２４５は、上端側基部２４１ａと下端側基部２４１ｃから延びている。基部２４１が、本発明の「第２の基部」に対応し、縁部（耳掛け部）２４５が、本発明の「第２の縁部」に対応する。また、「上端側基部２４１ａ」が、本発明の「第２の上端側基部」に対応し、中央基部２４１ｂが、本発明の「第２の中央基部」に対応し、下端側基部２４１ｃが、本発明の「第２の下端側基部」に対応する。
右側耳掛け部２４０は、マスク本体部２２０の着用面２２０Ｘ上に、第１の方向７０に沿った一方方向側（右側）に配置されている。また、右側耳掛け部２４０は、縁部（耳掛け部）２４５が、基部２４１より、第１の方向７０に沿った他方方向側（左側）に配置されるように着用面２２０Ｘ上に配置されている。
そして、右側耳掛け部２４０の基部２４１は、右側接合部によってマスク本体部２２０に接合されている。本実施の形態では、基部２４１の一部が、上端側基部２４１ａ、中央基部２４１ｂおよび下端側基部２４１ｃにおいて、右側接合部によってマスク本体部２２０に接合されている。すなわち、右側接合部は、上端側基部２４１ａをマスク本体部２２０に接合する上端側接合部２２６、中央基部２４１ｂをマスク本体部２２０に接合する中央接合部２２５、下端側基部２４１ｃをマスク本体部２２０に接合する下端側接合部２２７を有している。右側接合部は、右側接合部より縁部２４５側の部分が、右側接合部の箇所で第１の方向７０に沿って折り返すことができるように形成される。右側接合部が、本発明の「第２の接合部」に対応し、上端側接合部２２６が、本発明の「第２の上端側接合部」に対応し、中央接合部２２５が、本発明の「第２の中央接合部」に対応し、下端側接合部２２７が、本発明の「第２の下端側接合部」に対応する。
【００３０】
以上のように、左側耳掛け部２３０および右側耳掛け部２４０は、マスク本体部２２０の着用面２２０Ｘ上に、それぞれ第１の方向に沿って左側部および右側部に配置される。また、縁部（２３５、２４５）が基部（２３１、２４１）より第１の方向７０に沿って中央側に配置されるように、すなわち、左側耳掛け部２３０の縁部２３５と右側耳掛け部２４０の縁部２４５が第１の方向７０に沿って対向するように、着用面２２０Ｘ上に配置されている。そして、右側耳掛け部２３０の基部２３１の一部が、左側接合部によってマスク本体部２２０に接合され、右側耳掛け部２４０の基部２４１の一部が、右側接合部によってマスク本体部２０に接合されている。
非着用時には、左側耳掛け部２３０および右側耳掛け部２４０がマスク本体部２２０の着用面２２０Ｘに重ねられるため、マスク２１０の大きさ（面積）がマスク本体部２２０の大きさ（面積）にほぼ等しくなる。これにより、非着用時におけるマスク２１０の包装や持ち運びが容易である。
【００３１】
次に、本実施の形態のマスク２１０を着用する動作を説明する。
図１３に示されている状態で、第２の方向８０に沿った両端の襞２０Ｂ、２０Ｊの中央部を第２の方向８０に沿って引っ張り、マスク本体部２２０を立体状にする。
また、図１４に示されているように、左側耳掛け部２３０および右側耳掛け部２４０を、第１の方向７０（左右方向）に折り返す。すなわち、左側耳掛け部２３０の縁部２３５を、第１の方向７０に沿って左側（他方方向側）に折り返す。これにより、左側耳掛け部２３０の、左側接合部より縁部２３５側の部分が、左側接合部の箇所で折り返される。また、右側耳掛け部２４０の縁部２４５を、第１の方向７０に沿って右側（一方方向側）に折り返す。これにより、右側耳掛け部２４０の、右側接合部より縁部２４５側の部分が、右側接合部の箇所で折り返される。
そして、左側耳掛け部２３０の開口２３０ａを着用者の左耳に掛け、右側耳掛け部２４０の開口２４０ａを着用者の右耳に掛ける。
この時、左側耳掛け部２３０の折り返された部分の一部が、左側接合部と着用者の間に配置される。すなわち、左側接合部が、左側耳掛け部２３０の、折り返された部分の一部によって覆われる。また、右側耳掛け部２４０の折り返された部分の一部が、右側接合部と着用者の間に配置される。すなわち、右側接合部が、左側耳掛け部２４０の、折り返された部分の一部によって覆われる。
これにより、マスク本体部２２０と着用者の顔の間に隙間が生じするのを防止することができるとともに、着用者の肌に左側接合部および右側接合部が直接に接触するのを防止することができる。
なお、本実施の形態では、左側耳掛け部２３０（右側耳掛け部２４０）の上端側基部２３１ａ（２４１ａ）と下端側基部２３１ｃ（２４１ｃ）の、上端側接合部２２３（２２６）より縁部２３５（２４５）側の部分だけでなく、中央基部２３１ｂ（２４１ｂ）の、中央接合部２２２（２２５）より縁部２３５（２４５）側の部分も折り返される。これにより、接合部が着用者の肌に接触するのを防止しながら、上端側基部２３１ａ（２４１ａ）と下端側基部２３１ｃ（２４１ｃ）の間に左側接合部（右側接合部）を形成して左側耳掛け部２３０（右側耳掛け部２４０）とマスク本体部２２０との接合強度を高めることができる。
【００３２】
さらに、本実施の形態では、中央基部２３１ｂ（２４１ｂ）における中央接合部２２２（２２５）は、第２の方向に沿った位置が、第１の方向７０に関してほぼ同じとなるように（第３の方向８０に略平行に）形成されている。一方、上端側基部２３１ａ（２４１ａ）における上端側接合部２２３（２２６）および下端側基部２３１ｃ（２４１ｃ）における下端側接合部２２４（２２７）は、第２の方向に沿った位置が、第１の方向７０に関して偏移されている。
上端側接合部２２３（２２６）は、第２の方向８０に沿った下方端の下部接合部２２３ｄ（２２６ｄ）が、第２の方向８０に沿った上方端の上部接合部２２３ｕ（２２６ｕ）に対して、第１の方向７０に沿って縁部２３５（２４５）と反対側に配置されている。そして、上部接合部２２３ｕ（２２６ｕ）と下部接合部２２３ｄ（２２６ｄ）の間に、適宜の接合部が形成されている。
また、下端側接合部２２４（２２７）は、第２の方向８０に沿った上方端の上部接合部２２４ｕ（２２７ｕ）が、第２の方向８０に沿った下方端の下部接合部２２４ｄ（２２７ｄ）に対して、第１の方向７０に沿って縁部２３５（２４５）と反対側に配置されている。そして、上部接合部２２４ｕ（２２７ｕ）と下部接合部２２４ｄ（２２７ｄ）の間に、適宜の形状の接合部が形成されている。
なお、左側接合部および右側接合部の形状や、位置（第１の方向７０に沿った位置）は、適宜設定可能であるが、左側接合部および右側接合部の箇所で折り返した部分の一部によって左側接合部および右側接合部を覆うことができるように設定するのが好ましい。
【００３３】
このように、本実施の形態では、左側接合部（第１の接合部）の上端側接合部２２３の位置は、第２の方向８０に沿った上方端の上部接合部２２３ｕの位置から、第２の方向８０に沿った下方端の下部接合部２２３ｄの位置に、第１の方向７０に沿った一方方向（右方向）に順次偏移している。そして、右側接合部（第２の接合部）の上端側接合部２２６の位置は、第２の方向８０に沿った上方端の上部接合部２２６ｕの位置から、第２の方向８０に沿った下方端の下部接合部２２６ｄの位置に、第１の方向７０に沿って他方方向（左方向）に順次偏移している。これにより、マスク着用時に、上端側基部２３１ａおよび２４１ａにおいて、マスク本体部２２０と着用者との間に隙間が形成されるのが効果的に防止される。
また、左側接合部（第１の接合部）の下端側接合部２２４の位置は、第２の方向８０に沿った下方端の下部接合部２２４ｄの位置から、第２の方向８０に沿った上方端の上部接合部２２４ｕの位置に、第１の方向７０に沿って他方方向（左方向）に順次偏移している。そして、右側接合部（第２の接合部）の下端側接合部２２７の位置は、第２の方向８０に沿った下方端の下部接合部２２７ｄの位置から、第２の方向８０に沿った上方端の上部接合部２２７ｕの位置に、第１の方向７０に沿って一方方向（左方向）に順次偏移している。これにより、マスク着用時に、下端側基部２３１ｃおよび２４１ｃにおいて、マスク本体部２２０と着用者との間に隙間が形成されるのを効果的に防止することができる。
本実施の形態では、少なくとも、上端側接合部２２３および２２６の位置が、第１の方向７０および第２の方向８０に沿って偏移していればよい。
【００３４】
なお、本実施の形態のマスク２１０は、以下のマスクとして記載することができる。
「着用者の口を覆うマスク本体部と、着用者の耳に掛けられる第１の耳掛け部および第２の耳掛け部を備え、前記第１の耳掛け部および前記第２の耳掛け部は、それぞれ第１の方向に離れて設けられている第１の接合部および第２の接合部によって前記マスク本体部に接合されているマスクであって、
前記第１の耳掛け部は、前記第１の方向と交差する第２の方向に離れている第１の下端側基部および第１の上端側基部と、開口を形成する第１の縁部を有し、前記第１の下端側基部は、前記第１の上端側基部より前記第２の方向の一方方向側に配置され、前記第１の縁部は、前記第１の下端側基部および前記第１の上端側基部から延びており、
前記第２の耳掛け部は、前記第２の方向に離れている第２の下端側基部および第２の上端側基部と、開口を形成する第２の縁部を有し、前記第２の下端側基部は、前記第２の上端側基部より前記第２の方向の前記一方方向側に配置され、前記第２の縁部は、前記第１の下端側基部および前記第２の下端側基部から延びており、
また、前記第１の耳掛け部と前記第２の耳掛け部は、前記マスク本体部の着用面上に、前記第１の縁部と前記第２の縁部が前記第１の方向に沿って対向するように配置されており、
前記第１の接合部は、前記第１の上端側基部を前記マスク本体部に接合する第１の上端側接合部と、前記第１の下端側基部を前記マスク本体部に接合する第１の下端側接合部を有しており、
前記第２の接合部は、前記第２の上端側基部を前記マスク本体部に接合する第２の上端側接合部と、前記第２の下端側基部を前記マスク本体部に接合する第２の下端側接合部を有しており、
前記第１の上端側接合部は、前記第２の方向の前記他方方向端の第１の上端側接合部が、前記２の方向の前記一方方向端の第１の上端側接合部より、前記第１の方向の前記一方方向側に配置されるように設けられており、
前記第２の上端側接合部は、前記第２の方向の前記他方方向端の第２の上端側接合部が、前記２の方向の前記一方方向端の第２の上端側接合部より、前記第１の方向の前記他方方向側に配置されるように設けられていることを特徴とするマスク。」
【００３５】
本発明は、実施の形態で説明した構成に限定されず、種々の変更、追加、削除が可能である。
マスク本体部、左側耳掛け部および右側耳掛け部は、種々の形状に形成することができる。例えば、マスク本体部は、少なくとも着用時に立体状となる形状や、常時平面状態を維持する形状等に形成することができる。
マスク本体部、左側耳掛け部および右側耳掛け部は、種々の材料を用いて、また、種々の方法を用いて形成することができる。さらに、マスク本体部、左側耳掛け部および右側耳掛け部を接合する方法としては、種々の接合方法を用いることができる。
マスク本体部の各襞の形状等は、適宜変更可能である。
左側接合部（第１の接合部）および右側接合部（第２の接合部）の形状、配置位置等は、適宜変更可能である。また、接合部としては、連続する接合部を用いることもできるし、離散的に配置された種々の形状の接合部を用いることもできる。
実施の形態で説明した各構成は、単独で用いることもできるし、適宜選択した複数の構成を組み合わせて用いることもできる。
【符号の説明】
【００３６】
１０、１１０、２１０、３１０  マスク
２０、１２０、２２０、３２０  マスク本体部
２０Ｂ〜２０Ｊ  襞（プリーツ）
２０Ｘ  着用面
２０Ｙ、１２０Ｙ  非着用面
２１ａ〜２１ｊ  折返し線
２２、１２２、２２２  中央接合部
２３、２６、１２３、１２６、２２３、２２６、３２３  上端側接合部
２３ｕ、２４ｕ、２６ｕ、２７ｕ、２２３ｕ、２２４ｕ、２２６ｕ、２２７ｕ  上部接合部
２３ｄ、２４ｄ、２６ｄ、２７ｄ、２２３ｄ、２２４ｄ、２２６ｄ、２２７ｄ  下部接合部
２４、２７、１２４、１２７、２２４、２２７、３２４  下端側接合部
２５、１２５、２２５  中央接合部
３０、１３０、２３０、３３０  左側耳掛け部（第１の耳掛け部）
３０ａ、４０ａ、１３０ａ、１４０ａ、２３０ａ、２４０ａ、３３０ａ  開口
３１ａ、４１ａ、１３１ａ、１４１ａ、２３１ａ、２４１ａ、３３１ａ  上端側基部
１３１ｂ、１４１ｂ、２３１ｂ、２４１ｂ  中央基部
３１ｃ、４１ｃ、１３１ｃ、１４１ｃ、２３１ｃ、２４１ｃ、３３１ｃ  下端側基部
３５、４５、１３５、１４５、２３５、２４５、３３５  縁部
４０、１４０、２４０  右側耳掛け部（第２の耳掛け部）
７０  第１の方向（左右方向）
８０  第２の方向（上下方向）
９０  第３の方向（前後方向）
１３１、１４１  基部
１３１ａ、１４１ａ  上端側基部
１３１ｂ、１４１ｂ  中央基部
１３１ｃ、１４１ｃ  下端側基部
１３２、１３３、１４２、１４３  傾斜部
１３２ｕ、１３３ｕ、１４２ｕ、１４３ｕ  上端部
１３２ｄ、１３３ｄ、１４２ｄ、１４３ｄ  下端部
【図１】
2011167418.tif 000003
【図２】
2011167418.tif 000004
【図３】
2011167418.tif 000005
【図４】
2011167418.tif 000006
【図５】
2011167418.tif 000007
【図６】
2011167418.tif 000008
【図７】
2011167418.tif 000009
【図８】
2011167418.tif 000010
【図９】
2011167418.tif 000011
【図１０】
2011167418.tif 000012
【図１１】
2011167418.tif 000013
【図１２】
2011167418.tif 000014
【図１３】
2011167418.tif 000015
【図１４】
2011167418.tif 000016
【図１５】
2011167418.tif 000017